(57)【特許請求の範囲】
【請求項１】
開口部の周囲に開口枠設置用の角材が設けられており、該角材を介して設置された開口枠と間隔を置いて該角材の外側面の途中まで外壁用下地板の端部が延設しており、且つ該外壁用下地板を覆って防水シートが敷設されている、外壁に形成された矩形形状の開口部に設けられる開口部廻りの防水構造であって、
前記防水シートによって覆われている外壁用下地板の端部から、該外壁用下地板の端面及び該外壁用下地板が延設していない間隔部分の角材の外側面に沿って、設置された前記開口枠に至るまで、交差角が垂直な略Ｚ字状断面の立体形状に形成された防水用成形シートが前記矩形形状の開口部の周囲に密着配置されており、且つ前記防水用成形シートに沿って前記防水シートが前記開口枠に至るまで延設して敷設されて、前記防水用成形シートの端部を巻き込みつつ前記防水シートの端部が前記開口枠に接合されることを特徴とする開口部廻りの防水構造。
【請求項２】
前記開口部の角部に設置される前記交差角が垂直な略Ｚ字状断面の防水用成形シートが、前記角部を挟んだ両辺に跨がって密着配置されるＬ字形の平面形状を備えることを特徴とする請求項１記載の開口部廻りの防水構造。
【請求項３】
請求項１に記載の開口部廻りの防水構造に用いる交差角が垂直な略Ｚ字状断面の立体形状の防水用成形シートであって、
前記外壁用下地板の端部に密着される上段密着片と、前記間隔部分に密着される下段密着片と、上段密着片と下段密着片とを平行に連結すると共に前記外壁用下地板の端面に密着される中間連結片とからなり、
形状を保持できる剛性を有するシート材料を立体形状に加工することにより得られることを特徴とする防水用成形シート。
【請求項４】
請求項２に記載の開口部廻りの防水構造に用いる前記開口部の４カ所の角部に設置される前記交差角が垂直な略Ｚ字状断面の立体形状の防水用成形シートであって、
前記外壁用下地板の端部に密着される平面形状がＬ字形の上段密着片と、前記間隔部分に密着される平面形状がＬ字形の下段密着片と、上段密着片と下段密着片とを平行に連結すると共に前記外壁用下地板の端面に密着される断面形状がＬ字形の中間連結片とからなり、
形状を保持できる剛性を有するシート材料を立体形状に加工することにより得られることを特徴とする防水用成形シート。
【請求項５】
前記上段密着片、下段密着片、及び中間連結片の密着面には、接着剤又は粘着剤が塗着されている請求項３又は４に記載の防水用成形シート。
【発明の詳細な説明】
【０００１】
【発明の属する技術分野】
本発明は、外壁に形成された矩形形状の開口部に設けられる開口部廻りの防水構造及び防水用成形シートに関する。
【０００２】
【従来の技術及び発明が解決しようとする課題】
建物の外壁には、例えば窓、ドア、換気口等のための開口部が形成される場合があり、このような開口部にはサッシ等の開口枠が取り付けられて、開口部の周縁部を納まり良く良好に仕上げることができるようになっている。また開口枠は、開口部の周囲に設けられた開口枠設置用の角材に固定釘等を介して固定されることになるが、開口枠の周囲の防水性を確保することが重要である。
【０００３】
従来の開口部として例えば窓用開口５４におけるサッシ枠５３を取り付けた開口部廻りの防水構造によれば、図４に側断面図（（ａ））及び平断面図（（ｂ））として示すように、外壁の表側を例えばモルタル５０により仕上げる際の外壁用下地材５１には、これを覆って防水シート５２が取り付けられることから、この防水シート５２をサッシ枠５３まで延設させて当該サッシ枠５３に接合すると共に、この接合部にシーリング５４や防水テープを施す方法が採用されていた。
【０００４】
このため、サッシ枠５３の取付け面が外壁用下地材５１と面一の状態となるように、外壁用下地材５１の端面と窓用開口５９の縁部との間の段差部５５に下地調整材５６を設け、サッシ枠５３を外壁用下地材５１の厚さ分外側にふかして設けると共に、下地調整材５６を介してサッシ枠５３を開口枠設置用の角材５７に固定し、しかる後に外壁用下地材５１の端部及び下地調整材５６を覆って防水テープ５８を密着すると共に、これを覆って防水シート５２をサッシ枠５３まで平坦に敷設する方法が採用されていた。
【０００５】
しかしながら、上記従来の開口部廻りの防水構造によれば、下地調整材５６によって段差部５５を平坦に埋めるための調整に多くの手間がかかると共に、内部造作材等のためのコストが高くなり、またラス板、合板、壁パネル等からなる外壁用下地材５１の種類に合わせた材料や納まりが必要になると共に、使用する部材も多くなるという課題があった。
【０００６】
本発明は、このような従来の課題に着目してなされたもので、段差部における手間のかかる下地調整を要することなく、かつ多くの材料を要することなく、開口枠の周囲の防水性を容易かつ確実に確保することのできる開口部廻りの防水構造及び防水用成形シートを提供することを目的とする。
【０００７】
【課題を解決するための手段】
本発明は、開口部の周囲に開口枠設置用の角材が設けられており、該角材を介して設置された開口枠と間隔を置いて該角材の外側面の途中まで外壁用下地板の端部が延設しており、且つ該外壁用下地板を覆って防水シートが敷設されている、外壁に形成された矩形形状の開口部に設けられる開口部廻りの防水構造であって、
前記防水シートによって覆われている外壁用下地板の端部から、該外壁用下地板の端面及び該外壁用下地板が延設していない間隔部分の角材の外側面に沿って、設置された前記開口枠に至るまで、交差角が垂直な略Ｚ字状断面の立体形状に形成された防水用成形シートが前記矩形形状の開口部の周囲に密着配置されており、且つ前記防水用成形シートに沿って前記防水シートが前記開口枠に至るまで延設して敷設されて、前記防水用成形シートの端部を巻き込みつつ前記防水シートの端部が前記開口枠に接合されることを特徴とする開口部廻りの防水構造を提供することにより、上記目的を達成したものである（請求項１記載の発明）。
【０００８】
本発明の開口部廻りの防水構造によれば、前記開口部の角部に設置される前記交差角が垂直な略Ｚ字状断面の防水用成形シートが、前記角部を挟んだ両辺に跨がって密着配置されるＬ字形の平面形状を備えていることが好ましい（請求項２記載の発明）。
【０００９】
また、本発明は、前記開口部廻りの防水構造に用いる交差角が垂直な略Ｚ字状断面の立体形状の防水用成形シートであって、前記外壁用下地板の端部に密着される上段密着片と、前記間隔部分に密着される下段密着片と、上段密着片と下段密着片とを平行に連結すると共に前記外壁用下地板の端面に密着される中間連結片とからなり、形状を保持できる剛性を有するシート材料を立体形状に加工することにより得られることを特徴とする防水用成形シートを提供することにより、上記目的を達成したものである（請求項３記載の発明）。
【００１０】
さらに、本発明は、前記開口部廻りの防水構造に用いる前記開口部の４カ所の角部に設置される前記交差角が垂直な略Ｚ字状断面の立体形状の防水用成形シートであって、前記外壁用下地板の端部に密着される平面形状がＬ字形の上段密着片と、前記間隔部分に密着される平面形状がＬ字形の下段密着片と、上段密着片と下段密着片とを平行に連結すると共に前記外壁用下地板の端面に密着される断面形状がＬ字形の中間連結片とからなり、形状を保持できる剛性を有するシート材料を立体形状に加工することにより得られることを特徴とする防水用成形シートを提供することにより、上記目的を達成したものである（請求項４記載の発明）。
【００１１】
そして、本発明の防水用成形シートによれば、前記上段密着片、下段密着片、及び中間連結片の密着面には、接着剤又は粘着剤が塗着されていることが好ましい（請求項５記載の発明）。
【００１２】
【発明の実施の形態】
以下本発明の好ましい実施形態を添付図面を参照しつつ詳細に説明する。本実施形態の開口部廻りの防水構造１０は、図１に側断面図（（ａ））及び平断面図（（ｂ））として示すように、建物の外壁１１に設けられた矩形形状の開口部としての窓用開口１２に、窓用のサッシ枠１３を開口枠として取り付ける際のサッシ枠１３の周囲の防水構造として採用されたものである。
【００１３】
そして、本実施形態によれば、矩形形状の窓用開口１２を囲んでこれの周囲には、サッシ枠設置用の角材１４が、上下に一対水平方向に、左右に一対垂直方向に各々延設して設けられており、これらの角材１４の途中まで、例えばきづれパネル（商品名、住友林業株式会社製）からなる外壁用下地板１５の端部が延設していると共に、この外壁用下地板１５の表面を覆って防水シート１６が敷設されている。ここで、外壁用下地板１５を構成するきづれパネルは、間隔をおいて斜めに平行に配置された複数の表側帯状小巾板１７と、間隔をおいて斜めに平行に配置された複数の裏側帯状小巾板１８とを互いに交差させた状態で接合一体化してなるものであり、全体として例えば１８ｍｍ程度の厚さを有している。
【００１４】
また、本実施形態によれば、防水シート１６によって覆われている外壁用下地板１５の端部から、この外壁用下地板１５の端面１９及び外壁用下地板１５が延設しておらず段差部となっている間隔部分２０の角材１４の外側面に沿って、設置されたサッシ枠１３に至るまで、交差角が垂直な略Ｚ字状断面の立体形状に形成された防水用成形シート２１，２２が矩形形状の窓用開口１２の周囲に密着配置されており、且つ密着配置された防水用成形シート２１，２２に沿って、防水シート１６が、サッシ枠１３に至るまで防水シート１６が敷設されている。
【００１５】
防水用成形シート２１，２２は、形状を保持できる剛性を有する例えばポリプロピレン等のプラスチックからなる０．３〜２．０ｍｍ程度の厚さのシート材料であって、押し出し成形、プレス成形、折曲げ成形等により、略Ｚ字状断面の立体形状に加工して得られる立体成形品である。また本実施形態によれば、防水用成形シート２１，２２として、図２に示すように、矩形形状の窓用開口１２を構成する４つの辺の各中間部分に配置される第１防水用成形シート２１と、窓用開口１２の４カ所の角部に、当該角部を挟んだ２辺に跨がって配置されるＬ字形の平面形状を備える第２防水用成形シート２２との２種類が形成される。
【００１６】
第１防水用成形シート２１は、図３にも示すように、外壁用下地板１５の端部に密着される上段密着片２１ａと、間隔部分２０に密着される下段密着片２１ｂと、上段密着片２１ａと下段密着片２１ｂとを平行に連結すると共に外壁用下地板１５の端面１９に密着される中間連結片２１ｃとからなる。一方、第２防水用成形シート２２は、外壁用下地板１５の端部に密着される平面形状がＬ字形の上段密着片２２ａと、間隔部分２０に密着される平面形状がＬ字形の下段密着片２２ｂと、上段密着片２２ａと下段密着片２２ｂとを平行に連結すると共に外壁用下地板１５の端面１９に密着される断面形状がＬ字形の中間連結片２２ｃとからなる。
【００１７】
また、本実施形態によれば、第１防水用成形シート２１及び第２防水用成形シート２１，２２を構成する、上段密着片２１ａ，２２ａ、下段密着片２１ｂ，２２ｂ、及び中間連結片２１ｃ，２２ｃの裏面側の密着面には、予めこれらの防水用成形シート２１，２２の成形時に、或いはこれらの防水用成形シート２１，２２の取り付け時に、接着剤又は粘着剤を塗着しておくことができ、これによって第１防水用成形シート２１及び第２防水用成形シート２２を、窓用開口１２の周縁部分に容易に密着配置することが可能になる。
【００１８】
そして、これらの防水用成形シート２１，２２は、図２に示すように、互いの端部を重ね合わせつつ、窓用開口１２の周縁部分に沿って周方向に連接配置される。すなわち、上段密着片２１ａ，２２ａと下段密着片２１ｂ，２２ｂと中間連結片２１ｃ，２２ｃとを、交差角が垂直な略Ｚ字状断面の立体形状を形成するように折り曲げた状態に保持し、上段密着片２１ａ，２２ａにより外壁用下地板１５の端部を、中間連結片２１ｃ，２２ｃにより外壁用下地板１５の端面を、下段密着片２１ｂ，２２ｂにより間隔部分２０を、各々覆うようにしつつ密着させると共に、窓用開口１２の周縁部分に沿って隙間なく連接して配置されることになる。
【００１９】
なお、上記記載において、交差角が垂直な略Ｚ字状断面の立体形状に形成される防水用成形シート２１，２２は、当該防水用成形シート２１，２２の成形段階において、予め交差角が垂直な略Ｚ字状断面の立体形状を厳格に保持している必要は必ずしもなく、例えば折れ癖線を設けておくこと等により、成形されてから窓用開口１２に取り付けられるまでの間、その立体形状を変形させた状態となっても、窓用開口１２に取り付けられる際には、交差角が垂直な略Ｚ字状断面の立体形状を容易且つ強固に保持できるものであれば良く、このような形態の防水用成形シート２１，２２も本発明に含まれる。
【００２０】
本実施形態の防水構造１０を窓用開口１２の周囲に設けるには、図１（ａ）及び（ｂ）に示すように、サッシ枠１３を外側にふかすことなく、固定釘２３を打ち込んでサッシ枠設置用の角材１４にサッシ枠１３を直接固定した後、防水用成形シート２１，２２を、外壁用下地板１５の端部から、これの端面１９及び間隔部分２０の角材１４の外側面に沿って、サッシ枠１３に至るまで密着配置する。次に、密着配置した防水用成形シート２１，２２の表面に沿って、防水シート１６をサッシ枠１３に至るまで延設して敷設すると共に、これの端部に、防水用成形シート２１，２２の端部を巻き込みつつシーリング２４を施して、当該端部をサッシ枠１３に接合する。しかる後に、防水シート１６の表面側に、外壁仕上げ材として例えばモルタル２５を施工することにより、サッシ枠１３の周囲の外壁面を仕上げる。
【００２１】
そして、本実施形態の開口部廻りの防水構造１０によれば、手間のかかる下地調整を要することなく、かつ多くの材料を要することなく、開口枠の周囲の防水性を容易かつ確実に確保することができる。すなわち、本実施形態によれば、外壁用下地板１５の端部から、これの端面１９及び間隔部分２０の角材１４の外側面に沿って、サッシ枠１３に至るまで密着配置される防水用成形シート２１，２２を用いることにより、間隔部分２０の段差部の下地調整を行うことなく、防水シート１６をサッシ枠１３に至るまで延設させることが可能にになると共に、防止シート１６は直角に折り曲げにくく、間隔部分２０の段差部に沿って密着させることができないことによる防水機能の不安定さを、当該段差部に沿って密着配置される防水用成形シート２１，２２による防水機能で補って、確実な防水性を容易に得ることが可能になる。
【００２２】
また、本実施形態では、外壁用下地板１５として、相当の厚さを有し、且つ端面に相当の開口部分を有するきづれパネルが用いられているが、防水用成形シート２１，２２は、中間連結片２１ｃ，２２ｃの幅を適宜調節することにより、外壁用下地板１５の厚さの大小に容易に対応することができると共に、きづれパネルの端面に容易に密着配置されて、当該端面の開口部分を隙間なく容易に覆うことができる。
【００２３】
なお、本発明は上記実施形態に限定されることなく種々の変更が可能である。例えば、本発明は、窓用開口に限定されることなく、ドア、換気口等の、開口枠が取り付けられるその他の種々の開口部にも採用することができる。また、開口部の周囲に設けられる開口枠設置用の角材は、矩形形状の開口部の各辺に沿って水平方向或いは垂直方向に設けられている必要は必ずしもなく、開口部の各辺と交差する方向に設けられていても良い。さらに、防水用成形シートの密着面に、接着剤又は粘着剤が塗着される必要は必ずしもなく、タッカー等を用いて防水用成形シートを密着状態で取り付けることもできる。さらにまた、防水用成形シートは、例えばポリプロピレン等のプラスチック製のシート材料からなるものである必要は必ずしもなく、形状を保持できる剛性を有するシート材料として、例えばアスファルトフェルト、樹脂積層不織布、樹脂含浸紙等を立体形状に加工して用いることもできる。
【００２４】
【発明の効果】
以上詳細に説明したように、本発明の開口部廻りの防水構造及び防水用成形シートによれば、段差部における手間のかかる下地調整を要することなく、かつ多くの材料を要することなく、開口枠の周囲の防水性を容易かつ確実に確保することができる。
【図面の簡単な説明】
【図１】（ａ）は、本発明の一実施形態に係る開口部廻りの防水構造の構成を説明する窓用開口の側断面図、（ｂ）は同平断面図である。
【図２】防水用成形シートの開口部の周囲における取り付け状況を説明する略示斜視図である。
【図３】防水用成形シートの開口部の周囲における取り付け状況を説明する断面図である。
【図４】（ａ）は、従来の開口部廻りの防水構造の構成を説明する窓用開口の側断面図、（ｂ）は同平断面図である。
【符号の説明】
１０  開口部廻りの防水構造
１１  建物の外壁
１２  窓用開口（開口部）
１３  サッシ枠（開口枠）
１４  サッシ枠設置用の角材
１５  外壁用下地板
１６  防水シート
１７  表側帯状小巾板
１８  裏側帯状小巾板
１９  外壁用下地板の端面
２０  間隔部分
２１  第１防水用成形シート
２２  第２防水用成形シート
２１ａ，２２ａ  上段密着片
２１ｂ，２２ｂ  下段密着片
２１ｃ，２２ｃ  中間連結片
２３  固定釘
２４  シーリング
２５  モルタル
【図１】
0004584509.tif 000002
【図２】
0004584509.tif 000003
【図３】
0004584509.tif 000004
【図４】
0004584509.tif 000005